(57)【要約】【課題】美容器の使用感を変えることが可能な美容器を提供する。【解決手段】ハンドル１０と、前記ハンドル１０に設けられたローラシャフト３０と、前記ローラシャフト３０を中心に回転自在なローラ２０と、を備えた美容器１であり、前記ローラ２０が、複数の部品２１Ｆ，２１Ｓから構成されるローラ本体２１を有し、前記複数の部品２１Ｆ，２１Ｓが、比重が異なる材料で形成されている。このような構成によれば、ローラ本体２１の重さのバランスを調整して、美容器１の使用感を変えることができる。【選択図】図１０
2019187890.tif 000002
【特許請求の範囲】
【請求項１】
ハンドルと、前記ハンドルに設けられたローラシャフトと、前記ローラシャフトを中心に回転自在なローラと、を備えた美容器であり、
前記ローラが、複数の部品から構成されるローラ本体を有し、
前記複数の部品が、比重が異なる材料で形成されている美容器。
【請求項２】
複数の前記部品が、前記ローラシャフトに沿って配されている請求項１に記載の美容器。
【請求項３】
前記ローラ本体が、前記ローラシャフトに沿って長い筒状をなしている請求項２に記載の美容器。
【請求項４】
前記ローラ本体の前記ローラシャフトに沿う方向における一端側に寄った位置にベアリングが設けられ、
前記複数の部品のうち前記ローラシャフトの前記一端側に配される前記部品の比重が、前記ローラシャフトの他端側に配される前記部品の比重より重くされ、
前記ローラ本体の重さを前記ローラシャフトの他端側より一端側が重くなるようにした請求項２または請求項３に記載の美容器。
【発明の詳細な説明】
【技術分野】
【０００１】
本発明は、ローラを備えた美容器に関する。
【背景技術】
【０００２】
従来、肌を押圧するローラを備えた美容器が知られている。例えば下記特許文献１に記載された美容器は、使用者が把持するハンドルに複数のローラシャフトが備えられ、各ローラシャフトにローラが回転自在に保持されている。ローラは、ローラシャフトが挿入される穴部が貫通形成された合成樹脂製の芯材を有し、穴部の先端には合成樹脂製のキャップ材が嵌着されている。
【先行技術文献】
【特許文献】
【０００３】
【特許文献１】特開２０１７−１１９１０５号公報
【発明の概要】
【発明が解決しようとする課題】
【０００４】
しかしながら、上記のような構成では、ローラの重さのバランスが、ローラの大部分を構成する芯材の形状によって決まる。このため、ローラの重さのバランスを調整して、使用感を変えることは難しかった。
【０００５】
本発明は上記のような事情に基づいて完成されたものであって、美容器の使用感を変えることが可能な美容器を提供することを目的とする。
【課題を解決するための手段】
【０００６】
本発明の美容器は、ハンドルと、前記ハンドルに設けられたローラシャフトと、前記ローラシャフトを中心に回転自在なローラと、を備えた美容器であり、前記ローラが、複数の部品から構成されるローラ本体を有し、前記複数の部品が、比重が異なる材料で形成されている。
【発明の効果】
【０００７】
本発明によれば、ローラ本体の複数の部品の比重を異ならせることによって、ローラ本体の重さのバランスを調整して、美容器の使用感を変えることができる。
【図面の簡単な説明】
【０００８】
【図１】実施例１における美容器を示す斜視図
【図２】美容器を示す分解斜視図
【図３】ハンドルベース及びハンドルカバーを示す分解斜視図
【図４】ローラ保持部及びアームカバーを示す分解斜視図
【図５】美容器を示す背面図
【図６】美容器を示す側面図
【図７】美容器を示す断面図であって、図５のＡ−Ａ位置における断面に相当する断面図
【図８】美容器を示す一部拡大断面図であって、図５のＢ−Ｂ位置における断面に相当する断面図
【図９】美容器を示す断面図であって、図６のＣ−Ｃ位置における断面に相当する断面図
【図１０】美容器を示す一部拡大断面図であって、図９のＤ−Ｄ位置における断面に相当する断面図
【図１１】実施例２における美容器のクッションを示す正面図
【図１２】実施例３における美容器を示す斜視図
【図１３】美容器を示す分解斜視図
【図１４】ハンドルベース及びハンドルカバーを示す分解斜視図
【図１５】ローラ保持部及びアームカバーを示す分解斜視図
【図１６】美容器を示す背面図
【図１７】美容器を示す側面図
【図１８】美容器を示す断面図であって、図１６のＥ−Ｅ位置における断面に相当する断面図
【図１９】美容器を示す一部拡大断面図であって、図１６のＦ−Ｆ位置における断面に相当する断面図
【図２０】美容器を示す断面図であって、図１７のＧ−Ｇ位置における断面に相当する断面図
【図２１】美容器を示す一部拡大断面図であって、図２０のＨ−Ｈ位置における断面に相当する断面図
【図２２】実施例４における美容器のクッションを示す正面図
【図２３】実施例５における美容器を示す一部拡大断面図
【図２４】板材を示す斜視図
【図２５】実施例６における美容器を示す一部拡大断面図
【発明を実施するための形態】
【０００９】
本発明の好ましい形態を以下に示す。
本発明の美容器は、複数の前記部品が、前記ローラシャフトに沿って配されているものとしてもよい。このような構成によれば、ローラ本体の重心の位置をローラシャフトに沿う方向において調整することができる。
【００１０】
また、本発明の美容器は、前記ローラ本体が、前記ローラシャフトに沿って長い筒状をなしているものとしてもよい。ここで、ローラ本体がローラシャフトに沿って長い筒状をなしているものは、ローラ本体が球体状をなしているものに比して、重心がローラシャフトに沿う方向の中心からずれやすい。このため、ローラ本体の重心の位置をローラシャフトに沿う方向において調整できることは特に有利である。
【００１１】
また、本発明の美容器は、前記ローラ本体の前記ローラシャフトに沿う方向における一端側に寄った位置にベアリングが設けられ、前記複数の部品のうち前記ローラシャフトの前記一端側に配される前記部品の比重が、前記ローラシャフトの他端側に配される前記部品の比重より重くされ、前記ローラ本体の重さを前記ローラシャフトの他端側より一端側が重くなるようにしてもよい。ここで、ローラ本体のベアリングが設けられていない側に重心が位置する場合、ベアリングに作用する力が偏って偏摩耗を生じる虞がある。しかしながら、このような構成によれば、ローラ本体の重心をベアリングが設けられている側に位置することができるから、ベアリングの偏摩耗を防ぐことができる。
【００１２】
また、本発明の美容器は、前記ハンドルが、ハンドルベースと、前記ハンドルベースをカバーするハンドルカバーと、前記ハンドルベースと前記ハンドルカバーとを固定するカバー固定部品と、前記ハンドルカバーの前記ハンドルベースとは反対側に配されて、前記カバー固定部品をカバーする部品カバー部と、を備えているものとしてもよい。このような構成によれば、カバー固定部材が外側から見えないから、高級感をだすことができる。
【００１３】
また、本発明の美容器は、前記ハンドルに旋回自在に設けられるとともに前記ローラシャフトが固定される旋回アームと、前記旋回アームと前記ローラシャフトとを固定する軸固定部品と、前記旋回アーム及び前記ローラシャフトをカバーするアームカバーと、を有し、前記アームカバーに、前記軸固定部品を逃がす孔が形成されているものとしてもよい。このような構成によれば、アームカバーが軸固定部品の全体をカバーする場合に比して、旋回アームとローラシャフトとの固定部の周りを小型化することができる。
【００１４】
また、本発明の美容器は、前記ハンドルに旋回自在に設けられるとともに前記ローラシャフトが固定される旋回アームと、前記旋回アームが最大旋回角度まで旋回したときに前記旋回アームに弾性的に当接するクッション部と、を有し、前記クッション部が、前記ハンドルに固定される金属製の板材に一体に形成されているものとしてもよい。ここで、クッション部が合成樹脂製のシート状をなすものである場合、長期にわたる使用によって表面がたるんだり縮んだりしてクッション性が失われる虞があるところ、このような構成によれば、そのような事態を防ぐことができ、耐久性を向上することができる。
【００１５】
＜実施例１＞
以下、本発明を具体化した実施例１について、図１〜図１０を参照しつつ詳細に説明する。
本実施例における美容器１は、握り操作用のハンドル１０と、肌等に当てて転動される一対のローラ２０とを備えている。ハンドル１０は全体として一方向に長い形状をなし、長手方向における一端部に一対のローラシャフト３０が設けられ、ローラ２０はローラシャフト３０を中心に回転自在とされている。一対のローラシャフト３０は、概ね１３０度の開き角度をなし、ハンドル１０に旋回自在に取り付けられた旋回アーム６４に保持されている。一対のローラ２０は、旋回アーム６４の旋回に伴ってハンドル１０に対して相対的に旋回する。以下、各構成部材において、図６の左側（使用者の肌等に向けられる側）を表方、図６の右側を裏方とし、また図６の上下方向を前後方向として説明する。
【００１６】
ハンドル１０は、図３に示すように、芯材を構成するハンドルベース１１と、ハンドルベース１１の外面を形成するハンドルカバー１２と、を備えている。ハンドルカバー１２は、ハンドルベース１１の表側（図３では下側）を覆う第１ハンドルカバー４０及び裏側（図３では上側）を覆う第２ハンドルカバー５０を有している。
【００１７】
ハンドルベース１１は、ＡＢＳ樹脂等の合成樹脂製であって、裏面側の全体が開放された有底の浅鉢状に形成されている。ハンドルベース１１の裏面には、電気部品等（本実施例では太陽電池ユニット３０４及び重り３０５）が収容されている。重り３０５は、ねじ２９４によりハンドルベース１１に取り付けられている。
【００１８】
太陽電池ユニット３０４は負極接続端子３０６及び正極接続端子３０７を有している。負極接続端子３０６は、導電性ビス２９５とナット２９６とによってハンドルベース１１の表側に取り付けられるベース部６０に電気的及び機械的に接合されている。一方、正極接続端子３０７は、導電性を有するビス２９７によって、第２ハンドルカバー５０の内側壁面に取り付けられる。第２ハンドルカバー５０の内面及び外面には、ハンドル電極を形成する金属メッキが施されている。
【００１９】
これにより、太陽電池ユニット３０４、ベース部６０、ベース部６０に保持される旋回アーム６４、旋回アーム６４に固定されるローラシャフト３０、ローラシャフト３０に嵌合するベアリング２３、ベアリング２３が嵌着されたローラ２０のローラ電極、肌面、第２ハンドルカバー５０を把持する手、第２ハンドルカバー５０のハンドル電極、太陽電池ユニット３０４の順に電気的に接続されてなる通電回路が形成される。
【００２０】
ハンドルベース１１の表側には、ローラ２０を旋回自在及び回転自在に保持するローラ保持部Ｒが備えられている。ローラ保持部Ｒは、図４に示すように、ハンドルベース１１に固定されるベース部６０と、ベース部６０に対して相対的に旋回自在に連結される旋回アーム６４と、旋回アーム６４に固定されるローラシャフト３０とを備えている。
【００２１】
ベース部６０は、金属製であって、旋回アーム６４の旋回軸上に配置される旋回シャフト６１を保持する一対のシャフト受け部６２を有している。旋回シャフト６１はアーム軸受６６に挿入され、アーム軸受６６の外周側に、旋回アーム６４を付勢するねじりばね６７が装着されている。旋回シャフト６１は、シャフト受け部６２とタブ部６５との両方に挿入されている。ベース部６０には、ねじりばね６７の一方の端部が嵌入される一対の固定孔２９９が形成されている。固定孔２９９は前後方向に長い長円形状をなしている。
【００２２】
ベース部６０には、ねじりばね６７の位置を調節するアジャスタ６３が取り付けられている。アジャスタ６３は、ねじ２９８によってベース部６０に固定される。アジャスタ６３にはねじ２９８が挿入される固定孔３０２が形成されている。固定孔３０２は、前後方向に長い長円形状をなしている。アジャスタ６３の取り付け位置は、ベース部６０に対して相対的に前後方向にずらすことができる。
【００２３】
アジャスタ６３にはベース部６０の固定孔２９９に挿通されたねじりばね６７の一方の端部が嵌入される固定孔３０１が形成されている。これにより、ねじりばね６７の一方の端部の前後方向の位置を変更して調節することができる。ねじりばね６７の一方の端部の前後方向の位置を調節することにより、旋回アーム６４の基準位置を調節することができる。
【００２４】
ベース部６０には、旋回アーム６４が基準位置から最大旋回角度まで旋回したときに旋回アーム６４が弾性的に当接するクッション（クッション部）３２２が取り付けられている。クッション３２２は、熱可塑性エラストマー（ＴＰＥ）からなるシート状をなし、接着剤やテープ等によりベース部６０に固定されている。クッション３２２は、図４及び図８に示すように、旋回アーム６４が当接する一対の当接部３２２Ａと、一対の当接部３２２Ａを連結する連結部３２２Ｂとを備えている。当接部３２２Ａは、前後方向に長い長方形状をなし、連結部３２２Ｂは、当接部３２２Ａの長手方向における一端同士を連結している。連結部３２２Ｂには、ねじ２９８が通される穴部３２２Ｃが貫通形成されている。
【００２５】
旋回アーム６４は、金属製であって、一対のシャフト受け部６２の内側に配置される一対のタブ部６５を有している。一対のタブ部６５の外縁には、旋回アーム６４が最大旋回角度まで旋回したときにクッション３２２を介してベース部６０に当たり、それ以上の旋回を制限するストッパ部６９が設けられている。ストッパ部６９がクッション３２２を介してベース部６０に当たることにより、衝撃音の発生が抑制され、静音性が向上する。
【００２６】
一対のタブ部６５の間には、旋回アーム６４が基準位置から離れる方向に旋回した場合に、旋回アーム６４を基準位置側に復帰させる付勢力を生じさせる一対のねじりばね６７が備えられている。一対のねじりばね６７は、一対のタブ部６５の間に並んで配置されている。ねじりばね６７は、アーム軸受６６の外側に装着され、アーム軸受６６の内側に旋回シャフト６１が挿通されている。一対のねじりばね６７の間にはワッシャー３２３が配され、一対のねじりばね６７が互いに接しないようにされている。これにより、旋回アーム６４の旋回時に生じる軋み音の発生を抑制している。
【００２７】
旋回アーム６４には、ローラシャフト３０が取り付けられる一対のシャフト取付部６８が、ローラシャフト３０の軸方向に沿って延びている。一対のシャフト取付部６８には、ねじ（軸固定部品）３０３によりローラシャフト３０が固定される。ねじ３０３が固定されるネジ穴３０８は、シャフト取付部６８の延び方向に複数（２つ）設けられている。ねじ３０３は、機械的に緩み止めをするねじ（例えばスプリングワッシャ付きのねじ等）である。ここで、例えばサラビスを軸固定部品として用いる場合には、ねじを緩み止めするべく接着剤が必要であるところ、機械的に緩み止めをするねじであれば、接着剤を用いなくてもよくなる。
【００２８】
一対のシャフト取付部６８の間の略中央には、旋回アーム６４と後述する第１アームカバー７０Ｆとを固定するねじ３０９が挿通される挿通孔３２４が形成されている。なお、ねじ３０９は、ローラシャフト３０を固定するねじ３０３より小型のものである。
【００２９】
ローラシャフト３０は、全体として細長い円柱状をなし、ねじ３０３によって旋回アーム６４に固定される固定部３１と、ベアリング２３に挿入される挿入部３２とを有している。固定部３１は挿入部３２よりも径寸法が大きく、固定部３１と挿入部３２との間には、軸方向に対して直交する張出面３３が形成されている。
【００３０】
旋回アーム６４及びローラシャフト３０はアームカバー７０によってカバーされている。アームカバー７０は、カバー本体７５と、カバー本体７５から突出する一対のシャフトカバー７６とを備えている。一対のシャフトカバー７６は、ともに円筒状をなしている。
【００３１】
アームカバー７０は、旋回アーム６４及びローラシャフト３０を旋回アーム６４の旋回方向における両側から挟むように配される第１アームカバー７０Ｆ及び第２アームカバー７０Ｓを有している。第１アームカバー７０Ｆは、ねじ３０９により旋回アーム６４に固定される。
【００３２】
第１アームカバー７０Ｆは、カバー本体７５を構成する第１カバー本体７５Ｆ及びシャフトカバー７６を構成する一対の第１シャフトカバー７６Ｆを備え、第２アームカバー７０Ｓは、カバー本体７５を構成する第２カバー本体７５Ｓ及びシャフトカバー７６を構成する一対の第２シャフトカバー７６Ｓを備えている。第１シャフトカバー７６Ｆ及び第２シャフトカバー７６Ｓは半円筒状をなしている。
【００３３】
第１シャフトカバー７６Ｆと第２シャフトカバー７６Ｓとが合わせられてなるシャフトカバー７６に合成樹脂製の円筒状をなすキャップ７２が嵌着されることで、第１アームカバー７０Ｆと第２アームカバー７０Ｓとが合わさった状態に保持される。また、キャップ７２により、シャフトカバー７６がシールされるとともに、アームカバー７０とローラ電極との間の電気絶縁性が確保される。
【００３４】
第２アームカバー７０Ｓは、シャフト取付部６８のねじ３０３の頭部が配される側を覆っている。第２アームカバー７０Ｓの第２シャフトカバー７６Ｓには、ねじ３０３の頭部を逃がす逃がし孔７３が形成されている（図１０参照）。逃がし孔７３は、第２シャフトカバー７６Ｓに貫通形成された円形状をなし、ねじ３０３の頭部が入る大きさを有している。
【００３５】
アームカバー７０は、後述する第１ハンドルカバー４０の外面（被覆い部４６）に沿って配されるカバー覆い部７４を有している。カバー覆い部７４は、図７に示すように、第１ハンドルカバー４０の外面に略平行をなす形状でカバー本体７５から延出している。カバー覆い部７４は、旋回アーム６４の旋回に伴って第１ハンドルカバー４０の被覆い部４６に沿って変位する。カバー覆い部７４は、第１アームカバー７０Ｆの第１カバー本体７５Ｆ及び第２アームカバー７０Ｓの第２カバー本体７５Ｓの両方に設けられている（図４参照）。
【００３６】
第１ハンドルカバー４０及び第２ハンドルカバー５０は、図３に示すように、ハンドルベース１１を内側に挟むようにして合わせられる。第１ハンドルカバー４０及び第２ハンドルカバー５０は、詳しくは後述するように、ねじ（カバー固定部品）２９０及びねじ２９３によりハンドルベース１１に固定される。ねじ２９０は、第１ハンドルカバー４０の第１カバー体４０Ｆに設けられたネジ穴３１０を貫通して第２ハンドルカバー５０のネジ穴３１１に固定される（図８参照）。ねじ２９３は、ハンドルベース１１のネジ孔３１２を貫通して第２ハンドルカバー５０のネジ穴３１３に固定される（図７参照）。第２ハンドルカバー５０とハンドルベース１１との間にはパッキン３１４が介在している。
【００３７】
第１ハンドルカバー４０は、図３に示すように、ハンドルベース１１の大部分を覆う第１カバー体４０Ｆと、ハンドルベース１１の端部を覆う第２カバー体４０Ｓとを備えている。第１カバー体４０Ｆの長さ方向における中間部には、ハンドルベース１１に係止する一対の係止部３１５が片持ち状をなして設けられている。第１カバー体４０Ｆの長さ方向における一方の端部には、ハンドルベース１１に引っ掛かる引掛け部３１６が設けられている。
【００３８】
第１ハンドルカバー４０には、図７に示すように、第１カバー体４０Ｆと第２カバー体４０Ｓとによって、ハンドルベース１１に固定された旋回アーム６４を外側に突出させる開口部４１が形成される。第１カバー体４０Ｆは、図３に示すように、開口部４１の周縁部を構成して開口部４１の両側に突出する一対の突出部４２を有し、第２カバー体４０Ｓは、一対の突出部４２の間にわたる形状をなしている。
【００３９】
一対の突出部４２には、ねじ２９０が貫通するネジ穴３１０が形成されている。ねじ２９０の頭部は、突出部４２の表側に配される。各突出部４２には、第２カバー体４０Ｓが係止する係止受け部４４が設けられている。
【００４０】
第２カバー体４０Ｓは、第１カバー体４０Ｆに係止するカバー係止部４３を有している。カバー係止部４３は、片持ち状をなして裏側に立ち上がっている。カバー係止部４３を係止受け部４４に係止させることで、第２カバー体４０Ｓが第１カバー体４０Ｆに嵌め合わされる。なお、第２カバー体４０Ｓは、テープ等によって第１カバー体４０Ｆに接着してもよい。
【００４１】
第２カバー体４０Ｓは、図８に示すように、ねじ２９０の頭部をカバーする部品カバー部４５を備えている。部品カバー部４５は、第１カバー体４０Ｆの突出部４２に重なって配される。部品カバー部４５は、一対のねじ２９０の頭部を覆い、外から視認できなくする。
【００４２】
第２カバー体４０Ｓは、図７に示すように、アームカバー７０のカバー覆い部７４に覆われる被覆い部４６を有している。被覆い部４６は、アームカバー７０の旋回軌跡に沿うように湾曲した面を有している。
【００４３】
第２ハンドルカバー５０には、図２に示すように、レンズ３１７がはめ込まれる窓部３１８が形成されている。レンズ３１７は、テープ２９１Ｆ，２９１Ｓを介して窓部３１８に嵌め込まれる。レンズ３１７はねじ２９２により第２ハンドルカバー５０に固定される。
【００４４】
ローラ２０は、ローラシャフト３０に回転可能に支持されている。ローラ２０は、図１０に示すように、ローラ本体２１と、ローラ本体２１の外周に被覆成形された外被材２２とから構成されている。ローラ本体２１と外被材２２とはともに合成樹脂製である。外被材２２の外表面及び後述する内空部２４の内壁面には、導電金属メッキが施されてローラ電極が形成されており、ベアリング２３との間の導電が確保されている。
【００４５】
ローラ本体２１は、ローラシャフト３０に沿って長い円筒状をなしている。ローラ本体２１には、ローラシャフト３０が挿入されるとともにベアリング２３が挿入配置される内空部２４が形成されている。内空部２４の壁面には、ベアリング２３の係止爪２５が係止可能な段差部２６が内側に膨出して形成されている。ベアリング２３の係止爪２５が段差部２６に係止することにより、ベアリング２３がローラ２０の内空部２４に抜け止めされて保持される。
【００４６】
ローラ２０は、ローラ本体２１を構成する２つの部品（以後、第１部品２１Ｆ、第２部品２１Ｓと称する）を有している。第１部品２１Ｆ及び第２部品２１Ｓは、ローラ本体２１をローラシャフト３０に沿う方向に分割されてなり、ローラシャフト３０に沿って配される。
【００４７】
第１部品２１Ｆ及び第２部品２１Ｓは、いずれもローラシャフト３０を包囲する筒状をなしている。第１部品２１Ｆは、ローラシャフト３０の先端側に配され、第２部品２１Ｓは、ローラシャフト３０の根本側に配される。第１部品２１Ｆは、ローラシャフト３０の先端を閉じる形態の凹部からなる第１内空部２４Ｆを有し、第２部品２１Ｓは、ローラシャフト３０の軸方向に貫通する貫通穴からなる第２内空部２４Ｓを有している。第１部品２１Ｆの厚さ寸法（ローラシャフト３０の径方向の寸法）Ｔ１は、第２部品２１Ｓの厚さ寸法Ｔ２より大きくされている（図１０参照）。第１部品２１Ｆの外径寸法と第２部品２１Ｓの外径寸法とはほぼ等しくされている。第１部品２１Ｆは、第１内空部２４Ｆを塞ぐ壁部２９を有している。
【００４８】
第１部品２１Ｆ及び第２部品２１Ｓは、ローラシャフト３０の軸方向に互いに嵌め合わされる嵌合部２７を有している。第１部品２１Ｆ及び第２部品２１Ｓの嵌合部２７が嵌合することにより、第１部品２１Ｆの第１内空部２４Ｆと第２部品２１Ｓの第２内空部２４Ｓとが連通して内空部２４が形成される。段差部２６は、第２部品２１Ｓに形成されている。
【００４９】
第１部品２１Ｆ及び第２部品２１Ｓは、比重が異なる材料で形成されている。第１部品２１Ｆ及び第２部品２１Ｓのうちローラシャフト３０の先端側（一端側）に配される第１部品２１Ｆの材料は、ローラシャフト３０の根元側（他端側）に配される第２部品２１Ｓの材料より比重が重いものである。これにより、ローラ本体２１の重心は、第１部品２１Ｆ側に位置している。言い換えると、ローラ本体２１の重心は、ベアリング２３の軸方向における中央部に位置している。なお、第１部品２１Ｆの材料は、例えばＰＣ（ポリカーボネート）樹脂とされ、第２部品２１Ｓの材料は、例えば炭酸カルシウムを混ぜ合わせたＡＢＳ樹脂とされている。
【００５０】
ベアリング２３は、ローラ本体２１のローラシャフト３０に沿う方向における一端側（先端側）に寄った位置に備えられている。ベアリング２３は合成樹脂製であって、円筒形状をなし、内側にローラシャフト３０が挿入される。ベアリング２３は、ローラシャフト３０の先端に取り付けられたＥリング３１９によりローラシャフト３０に抜け止めされている。Ｅリング３１９は金属製であり、Ｅリング３１９とベアリング２３との間には、ベアリング２３の摩耗を防ぐとともにＥリング３１９とベアリング２３との隙間を埋めるスペーサ３２０が配されている。
【００５１】
ベアリング２３の表裏両面を含む外側全面には金属メッキが施され、ベアリング２３とローラシャフト３０との間の導電が確保されている。なお、金属メッキに代えて、ベアリングを導電性樹脂によって構成することにより両者の導電を確保してもよい。
【００５２】
ベアリング２３は、図１０に示すように、ローラ２０の段差部２６に係止する一対の係止爪２５を有している。ベアリング２３には、径方向外方に突出した鍔部２８が設けられている。ベアリング２３は、鍔部２８と係止爪２５との間に段差部２６が位置することによって内空部２４に固定される。
【００５３】
ベアリング２３の鍔部２８とキャップ７２との間には、鍔部２８の摩耗を防ぐべくＯリング３２１が挟み込まれている（図１０参照）。これにより、ベアリング２３の滑りが良好なままに保持され、ローラ２０の良好な回転性が維持される。
【００５４】
ベアリング２３の軸方向の寸法は、ローラシャフト３０の挿入部３２の軸方向の寸法、言い換えると、ローラシャフト３０の全長の略半分の寸法と同等とされている。ベアリング２３の軸方向における一端側は、第１部品２１Ｆの第１内空部２４Ｆの嵌合凹部２４Ｈに嵌合され、他端部は、第２部品２１Ｓの第２内空部２４Ｓの嵌合穴２４Ｊを貫通している。ベアリング２３は、ローラ本体２１の内空部２４の軸方向（深さ方向）において先端側（第１部品２１Ｆ側）に寄った位置に配されている。
【００５５】
次に、上記のように構成された実施例１の作用および効果について説明する。
本実施例１の美容器１は、ハンドル１０と、ハンドル１０に設けられたローラシャフト３０と、ローラシャフト３０を中心に回転自在なローラ２０と、を備えるものであり、ローラ２０が、ローラ本体２１を構成する第１部品２１Ｆ及び第２部品２１Ｓを有し、第１部品２１Ｆ及び第２部品２１Ｓが、比重が異なる材料で形成されている。この構成によれば、ローラ本体２１の重さのバランスを調整して、使用感を変えることができる。
【００５６】
また、第１部品２１Ｆ及び第２部品２１Ｓが、ローラシャフト３０に沿って配される。この構成によれば、ローラ本体２１の重心の位置をローラシャフト３０に沿う方向において調整することができる。
【００５７】
また、ローラ本体２１が、ローラシャフト３０に沿って長い筒状をなしている。ここで、ローラ本体２１がローラシャフト３０に沿って長い柱状をなしているものは、ローラ本体が球体状をなしているものに比して、重心がローラシャフト３０に沿う方向の中心からずれやすい。このため、ローラ本体２１の重心の位置をローラシャフト３０に沿う方向において調整できることは特に有利である。
【００５８】
また、ローラ本体２１のローラシャフト３０に沿う方向における一端側に寄った位置にベアリング２３が設けられ、ローラシャフト３０の一端側に配される第１部品２１Ｆの比重が、ローラシャフト３０の他端側に配される第２部品２１Ｓの比重より重くされている。ここで、ローラ本体のうちベアリングが設けられていない側に重心が位置する場合、ベアリングに作用する力が偏って偏摩耗を生じる虞があるところ、ベアリング２３が設けられている側に重心を位置することができるから、ベアリング２３の偏摩耗を防ぐことができる。
【００５９】
また、ハンドル１０が、ハンドルベース１１と、ハンドルベース１１をカバーするハンドルカバー１２と、ハンドルベース１１とハンドルカバー１２とを固定するねじ２９０と、を有し、ハンドルカバー１２のハンドルベース１１とは反対側に、ねじ２９０をカバーする部品カバー部４５が備えられている。この構成によれば、ねじ２９０が外側から見えないから、高級感をだすことができる。
【００６０】
また、ハンドル１０に旋回自在に設けられるとともにローラシャフト３０が固定される旋回アーム６４と、旋回アーム６４とローラシャフト３０とを固定するねじ３０３と、旋回アーム６４及びローラシャフト３０をカバーするアームカバー７０と、を有し、アームカバー７０に、ねじ３０３を逃がす逃がし孔７３が形成されている。この構成によれば、アームカバー７０がねじ３０３の全体をカバーする場合に比して小型化することができる。
【００６１】
＜実施例２＞
次に、本発明を具体化した実施例２に係る美容器を図１１によって説明する。
本実施例の美容器は、旋回アーム６４が最大旋回角度まで旋回したときに旋回アーム６４に弾性的に当接するクッション１１０の形状が、実施例１とは相違する。なお、実施例１と同様の構成には同一符号を付して重複する説明を省略する。
【００６２】
クッション１１０は、熱可塑性エラストマー（ＴＰＥ）や熱可塑性樹脂（例えば、ポリプロピレン（ＰＰ）、ナイロン、ポリエチレン（ＰＥ））からなるシート状をなし、接着剤やテープ等によりベース部６０に固定されている。
【００６３】
クッション１１０は、実施例１と同様、旋回アーム６４が当接する一対の当接部１１０Ａと、一対の当接部１１０Ａを連結する連結部１１０Ｂとを備えている。連結部１１０Ｂは、一対の当接部１１０Ａの前後方向（図１１では上下方向）における概ね全長を連結している。言い換えると、クッション１１０は、全体として幅方向（図１１では左右方向）に長い方形状をなし、幅方向における両端部が当接部１１０Ａ、中間部が連結部１１０Ｂとなっている。連結部１１０Ｂの前後方向の寸法は、当接部１１０Ａの前後方向の寸法より大きくされている。
【００６４】
連結部１１０Ｂには、ねじ２９８が通される穴部１１０Ｃと、ベース部６０の固定孔２９９と連通する穴部１１０Ｄとが貫通形成されている。穴部１１０Ｄは、固定孔２９９と同様、前後方向に長い長円形状をなしている。
【００６５】
このような本実施例のクッション１１０は、実施例１のクッション３２２に比して変形しにくいため、ベース部６０からの剥がれを確実に防ぐことができる。すなわち、実施例１のクッション３２２（図４参照）のように、一対の当接部３２２Ａの間（内側）があいている場合には、旋回アーム６４のストッパ部６９が当接部３２２Ａに繰り返し当接することで、当接部３２２Ａが内側（互いに接近する側）に変形し、ひいてはベース部６０から剥がれてしまう虞がある。しかしながら、本実施例のクッション１１０は、一対の当接部１１０Ａの内側全体が連結部１１０Ｂとなっているから、当接部１１０Ａは変形しにくく、もってベース部６０から剥がれることを防ぐことができる。  
【００６６】
＜実施例３＞
次に、本発明を具体化した実施例３に係る美容器２を図１２〜図２１によって説明する。
本実施例の美容器２は、ローラ８０が球形状をなす点で、実施例１とは相違する。なお、実施例１と同様の構成には同一符号を付して重複する説明を省略する。
【００６７】
本実施例における美容器２は、握り操作用のハンドル１０と、肌等に当てて転動される一対のローラ８０とを備えている。ハンドル１０は全体として一方向に長い形状をなし、長手方向における一端部に一対のローラシャフト３０が設けられ、ローラ８０はローラシャフト３０を中心に回転自在とされている。一対のローラシャフト３０は、実施例１の開き角度に比して小さい開き角度（概ね７０度）をなし、ハンドル１０に旋回自在に取り付けられた旋回アーム６４に保持されている。一対のローラ８０は、旋回アーム６４の旋回に伴ってハンドル１０に対して相対的に旋回する。以下、各構成部材において、図１７の左側（使用者の肌等に向けられる側）を表方、図１７の右側を裏方とし、また図１７の上下方向を前後方向として説明する。
【００６８】
ハンドル１０は、図１４に示すように、芯材を構成するハンドルベース１１と、ハンドルベース１１の外面を形成するハンドルカバー１２と、を備えている。ハンドルカバー１２は、ハンドルベース１１の表側（図１４では下側）を覆う第１ハンドルカバー４０及び裏側（図１４では上側）を覆う第２ハンドルカバー５０を有している。
【００６９】
ハンドルベース１１は、ＡＢＳ樹脂等の合成樹脂製であって、裏面側の全体が開放された有底の浅鉢状に形成されている。ハンドルベース１１の裏面には、電気部品等（本実施例では太陽電池ユニット３０４及び重り３０５）が収容されている。重り３０５は、ねじ２９４によりハンドルベース１１に取り付けられている。
【００７０】
太陽電池ユニット３０４は負極接続端子３０６及び正極接続端子３０７を有している。負極接続端子３０６は、導電性ビス２９５とナット２９６とによってハンドルベース１１の表側に取り付けられるベース部６０に電気的及び機械的に接合されている。一方、正極接続端子３０７は、導電性を有するビス２９７によって、第２ハンドルカバー５０の内側壁面に取り付けられる。第２ハンドルカバー５０の内面及び外面には、ハンドル電極を形成する金属メッキが施されている。
【００７１】
これにより、太陽電池ユニット３０４、ベース部６０、ベース部６０に保持される旋回アーム６４、旋回アーム６４に固定されるローラシャフト３０、ローラシャフト３０に嵌合するベアリング２３、ベアリング２３が嵌着されたローラ８０のローラ電極、肌面、第２ハンドルカバー５０を把持する手、第２ハンドルカバー５０のハンドル電極、太陽電池ユニット３０４の順に電気的に接続されてなる通電回路が形成される。
【００７２】
ハンドルベース１１の表側には、ローラ８０を旋回自在及び回転自在に保持するローラ保持部Ｒが備えられている。ローラ保持部Ｒは、ハンドルベース１１に固定されるベース部６０と、ベース部６０に対して相対的に旋回自在に連結される旋回アーム６４と、旋回アーム６４に固定されるローラシャフト３０とを備えている。
【００７３】
ベース部６０は、金属製であって、旋回アーム６４の旋回軸上に配置される旋回シャフト６１を保持する一対のシャフト受け部６２を有している。旋回シャフト６１はアーム軸受６６に挿入され、アーム軸受６６の外周側に、旋回アーム６４を付勢するねじりばね６７が装着されている。旋回シャフト６１は、シャフト受け部６２とタブ部６５との両方に挿入されている。ベース部６０には、ねじりばね６７の一方の端部が嵌入される一対の固定孔２９９が形成されている。固定孔２９９は前後方向に長い長円形状をなしている。
【００７４】
ベース部６０には、ねじりばね６７の位置を調節するアジャスタ６３が取り付けられている。アジャスタ６３は、ねじ２９８によってベース部６０に固定される。アジャスタ６３にはねじ２９８が挿入される固定孔３０２が形成されている。固定孔３０２は、前後方向に長い長円形状をなしている。アジャスタ６３の取り付け位置は、ベース部６０に対して相対的に前後方向にずらすことができる。
【００７５】
アジャスタ６３にはベース部６０の固定孔２９９に挿通されたねじりばね６７の一方の端部が嵌入される固定孔３０１が形成されている。これにより、ねじりばね６７の一方の端部の前後方向の位置を変更して調節することができる。ねじりばね６７の一方の端部の前後方向の位置を調節することにより、旋回アーム６４の基準位置を調節することができる。
【００７６】
ベース部６０には、旋回アーム６４が基準位置から最大旋回角度まで旋回したときに旋回アーム６４が弾性的に当接するクッション（クッション部）３２２が取り付けられている。クッション３２２は、熱可塑性エラストマー（ＴＰＥ）からなるシート状をなし、接着剤やテープ等によりベース部６０に固定されている。クッション３２２は、実施例１と同様、旋回アーム６４が当接する一対の当接部３２２Ａと、一対の当接部３２２Ａを連結する連結部３２２Ｂとを備えている。当接部３２２Ａは、前後方向に長い長方形状をなし、連結部３２２Ｂは、当接部３２２Ａの長手方向における一端同士を連結している。連結部３２２Ｂには、ねじ２９８が通される穴部３２２Ｃが貫通形成されている。
【００７７】
旋回アーム６４は、金属製であって、一対のシャフト受け部６２の内側に配置される一対のタブ部６５を有している。一対のタブ部６５の外縁には、旋回アーム６４が最大旋回角度まで旋回したときにクッション３２２を介してベース部６０に当たり、それ以上の旋回を制限するストッパ部６９が設けられている。ストッパ部６９がクッション３２２を介してベース部６０に当たることにより、衝撃音の発生が抑制され、静音性が向上する。
【００７８】
一対のタブ部６５の間には、旋回アーム６４が基準位置から変位した場合に、旋回アーム６４を基準位置側に復帰させる付勢力を生じさせる一対のねじりばね６７が備えられている。一対のねじりばね６７は、一対のタブ部６５の間に並んで配置されている。ねじりばね６７は、アーム軸受６６の外側に装着され、アーム軸受６６の内側に旋回シャフト６１が挿通されている。一対のねじりばね６７の間にはワッシャー３２３が配され、一対のねじりばね６７が互いに接しないようにされている。これにより、旋回アーム６４の旋回時に生じる軋み音の発生を抑制している。
【００７９】
旋回アーム６４には、ローラシャフト３０が取り付けられる一対のシャフト取付部６８が、ローラシャフト３０の軸方向に沿って延びている。一対のシャフト取付部６８には、ねじ（軸固定部品）３０３によりローラシャフト３０が固定される。ねじ３０３が固定されるネジ穴３０８は、シャフト取付部６８の延び方向に複数（２つ）設けられている。ねじ３０３は、機械的に緩み止めをするねじ（例えばスプリングワッシャ付きのねじ等）である。ここで、例えばサラビスを軸固定部品として用いる場合には、ねじを緩み止めするべく接着剤が必要であるところ、機械的に緩み止めをするねじであれば、接着剤を用いなくてもよくなる。
【００８０】
両シャフト取付部６８の根元側には、旋回アーム６４と後述する第２アームカバー７０Ｓとを固定するねじ３０９が挿通される挿通孔３２４が形成されている。なお、ねじ３０９は、ローラシャフト３０を固定するねじ３０３より小型のものである。
【００８１】
ローラシャフト３０は、全体として細長い円柱状をなし、ねじ３０３によって旋回アーム６４に固定される固定部３１と、ベアリング２３に挿入される挿入部３２とを有している。固定部３１は挿入部３２よりも径寸法が大きく、固定部３１と挿入部３２との間には、軸方向に対して直交する張出面３３が形成されている。
【００８２】
旋回アーム６４及びローラシャフト３０はアームカバー７０によってカバーされている。アームカバー７０は、カバー本体７５と、カバー本体７５から突出する一対のシャフトカバー７６とを備えている。カバー本体７５は、実施例１のものに比して幅寸法が大きくされている。カバー本体７５は、後述する第１ハンドルカバー４０の外面（被覆い部４６）に沿って配される。カバー本体７５は、第１ハンドルカバー４０の外面に略平行をなし、旋回アーム６４の旋回に伴って第１ハンドルカバー４０の被覆い部４６に沿って変位する。一対のシャフトカバー７６は、ともに円筒状をなしている。
【００８３】
アームカバー７０は、旋回アーム６４及びローラシャフト３０を旋回アーム６４の旋回方向における両側から挟むように配される第１アームカバー７０Ｆ及び第２アームカバー７０Ｓを有している。
【００８４】
第１アームカバー７０Ｆは、カバー本体７５を構成する第１カバー本体７５Ｆ及びシャフトカバー７６を構成する一対の第１シャフトカバー７６Ｆを備え、第２アームカバー７０Ｓは、カバー本体７５を構成する第２カバー本体７５Ｓ及びシャフトカバー７６を構成する一対の第２シャフトカバー７６Ｓを備えている。第１シャフトカバー７６Ｆ及び第２シャフトカバー７６Ｓは半円筒状をなしている。
【００８５】
第１シャフトカバー７６Ｆと第２シャフトカバー７６Ｓとが合わせられてなるシャフトカバー７６に合成樹脂製の円筒状をなすキャップ７２が嵌着されることで、第１アームカバー７０Ｆと第２アームカバー７０Ｓとが合わさった状態に保持される。また、キャップ７２により、シャフトカバー７６がシールされるとともに、アームカバー７０とローラ電極との間の電気絶縁性が確保される。
【００８６】
本実施例の美容器２は、実施例１とは異なり、第２アームカバー７０Ｓが、ねじ３０９により旋回アーム６４に固定される。図１５に示すように、ねじ３０９が固定される固定部８１が筒状をなして内側（旋回アーム６４側）に立っている。
【００８７】
第２アームカバー７０Ｓは、シャフト取付部６８のねじ３０３の頭部が配される側を覆っている。第２アームカバー７０Ｓの第２シャフトカバー７６Ｓには、ねじ３０３の頭部を逃がす逃がし孔７３が形成されている（図２１参照）。逃がし孔７３は、第２シャフトカバー７６Ｓに貫通形成された円形状をなし、ねじ３０３の頭部が入る大きさを有している。２つの逃がし孔７３のうち第２シャフトカバー７６Ｓの先端側に位置するものは、周方向の一部が開放された孔となっている（図１３参照）。
【００８８】
第２アームカバー７０Ｓは、図１９に示すように、第１ハンドルカバー４０と第２ハンドルカバー５０とを固定するねじ２９０の頭部をカバーする部品カバー部４５を備えている。部品カバー部４５は、第１ハンドルカバー４０の第２カバー体４０Ｓのネジ穴３２５の外側に（ハンドルベース１１とは反対側）に重なって配される。部品カバー部４５は、一対のねじ２９０の頭部を覆い、外から視認できなくする。
【００８９】
第１ハンドルカバー４０及び第２ハンドルカバー５０は、図１４に示すように、ハンドルベース１１を内側に挟むようにして合わせられる。第１ハンドルカバー４０及び第２ハンドルカバー５０は、詳しくは後述するように、ねじ（カバー固定部品）２９０及びねじ２９３によりハンドルベース１１に固定される。ねじ２９０は、第１ハンドルカバー４０の第１カバー体４０Ｆに設けられたネジ穴３１０を貫通して第２ハンドルカバー５０のネジ穴３１１に固定される（図１９参照）。ねじ２９３は、ハンドルベース１１のネジ孔３１２を貫通して第２ハンドルカバー５０のネジ穴３１３に固定される（図１８参照）。第２ハンドルカバー５０とハンドルベース１１との間にはパッキン３１４が介在している。
【００９０】
第１ハンドルカバー４０は、図１４に示すように、ハンドルベース１１の大部分を覆う第１カバー体４０Ｆと、ハンドルベース１１の端部を覆う第２カバー体４０Ｓとを備えている。第１カバー体４０Ｆの長さ方向における中間部には、ハンドルベース１１に係止する一対の係止部３１５が片持ち状をなして設けられている。第１カバー体４０Ｆの長さ方向における一方の端部には、ハンドルベース１１に引っ掛かる引掛け部３１６が設けられている。
【００９１】
第１ハンドルカバー４０には、図１８に示すように、第１カバー体４０Ｆと第２カバー体４０Ｓとによって、ハンドルベース１１に固定された旋回アーム６４を外側に突出させる開口部４１が形成される。第１カバー体４０Ｆは、図１４に示すように、開口部４１の周縁部を構成して開口部４１の両側に突出する一対の突出部４２を有し、第２カバー体４０Ｓは、一対の突出部４２の間にわたる形状をなしている。一対の突出部４２の間隔は、実施例１のものに比して狭くなっている。一対の突出部４２には、ねじ２９０が貫通するネジ穴３１０が形成されている。
【００９２】
第２カバー体４０Ｓは、図１９に示すように、ねじ２９０により第１カバー体４０Ｆに固定される。第２カバー体４０Ｓには、ねじ２９０が挿通されるネジ穴３２５が貫通形成されている。ねじ２９０の頭部は、突出部４２の表側に配される。
【００９３】
第２カバー体４０Ｓは、図１８に示すように、アームカバー７０のカバー覆い部７４に覆われる被覆い部４６を有している。被覆い部４６は、アームカバー７０の旋回軌跡に沿うように湾曲した面を有している。
【００９４】
第２ハンドルカバー５０には、図１３に示すように、レンズ３１７がはめ込まれる窓部３１８が形成されている。レンズ３１７は、テープ２９１Ｆ，２９１Ｓを介して窓部３１８に嵌め込まれる。レンズ３１７はねじ２９２により第２ハンドルカバー５０に固定される。
【００９５】
ローラ８０は、ローラシャフト３０に回転可能に支持されている。ローラ８０は、図２１に示すように、ローラ本体２１と、ローラ本体２１の外周に被覆成形された外被材２２とから構成されている。ローラ本体２１と外被材２２とはともに合成樹脂製である。外被材２２の外表面及び後述する内空部２４の内壁面には、導電金属メッキが施されてローラ電極が形成されており、ベアリング２３との間の導電が確保されている。
【００９６】
ローラ本体２１は、ローラシャフト３０の概ね全長を内部に収容する球体状をなしている。ローラ本体２１には、ローラシャフト３０が挿入されるとともにベアリング２３が挿入配置される内空部２４が形成されている。内空部２４の壁面には、ベアリング２３の係止爪２５が係止可能な段差部２６が内側に膨出して形成されている。ベアリング２３の係止爪２５が段差部２６に係止することにより、ベアリング２３がローラ８０の内空部２４に抜け止めされて保持される。
【００９７】
ローラ８０は、ローラ本体２１を構成する２つの部品（以後、第１部品２１Ｆ、第２部品２１Ｓと称する）を有している。第１部品２１Ｆ及び第２部品２１Ｓは、ローラ本体２１をローラシャフト３０に沿う方向に分割されてなり、ローラシャフト３０に沿って配される。
【００９８】
第１部品２１Ｆ及び第２部品２１Ｓは、いずれもローラシャフト３０を包囲する筒状をなしている。第１部品２１Ｆは、ローラシャフト３０の先端側に配され、第２部品２１Ｓは、ローラシャフト３０の根本側に配される。第１部品２１Ｆは、第１内空部２４Ｆを塞ぐ壁部２９を有している。第２部品２１Ｓは、後述する段差部２６よりも先端側の厚さ寸法（ローラシャフト３０の径方向の寸法）Ｔ１は、段差部２６よりも根元側の厚さ寸法Ｔ２より大きくされている（図２１参照）。
【００９９】
第１部品２１Ｆは、ローラシャフト３０の先端を閉じる形態の凹部からなる第１内空部２４Ｆを有し、第２部品２１Ｓは、ローラシャフト３０の軸方向に貫通する貫通穴からなる第２内空部２４Ｓを有している。第２部品２１Ｓは、第１部品２１Ｆの第１内空部２４Ｆに嵌合する。第１部品２１Ｆ及び第２部品２１Ｓが嵌合することにより、第１部品２１Ｆの第１内空部２４Ｆと第２部品２１Ｓの第２内空部２４Ｓとが連通して内空部２４が形成される。段差部２６は、第２部品２１Ｓに形成されている。
【０１００】
第１部品２１Ｆ及び第２部品２１Ｓは、比重が異なる材料で形成されている。第１部品２１Ｆ及び第２部品２１Ｓのうちローラシャフト３０の先端側（一端側）に配される第１部品２１Ｆの材料は、ローラシャフト３０の根元側（他端側）に配される第２部品２１Ｓの材料より比重が重いものである。これにより、ローラ本体２１の重心は、第１部品２１Ｆ側に位置している。言い換えると、ローラ本体２１の重心は、ベアリング２３の軸方向における中央部に位置している。なお、第１部品２１Ｆの材料は、例えばＰＣ（ポリカーボネート）樹脂とされ、第２部品２１Ｓの材料は、例えば炭酸カルシウムを混ぜ合わせたＡＢＳ樹脂とされている。
【０１０１】
ベアリング２３は、ローラ本体２１のローラシャフト３０に沿う方向における一端側（先端側）に寄った位置に備えられている。ベアリング２３は合成樹脂製であって、円筒形状をなし、内側にローラシャフト３０が挿入される。ベアリング２３は、ローラシャフト３０の先端に取り付けられたＥリング３１９によりローラシャフト３０に抜け止めされている。Ｅリング３１９は金属製であり、Ｅリング３１９とベアリング２３との間には、ベアリング２３の摩耗を防ぐとともにＥリング３１９とベアリング２３との隙間を埋めるスペーサ３２０が配されている。
【０１０２】
ベアリング２３の表裏両面を含む外側全面には金属メッキが施され、ベアリング２３とローラシャフト３０との間の導電が確保されている。なお、金属メッキに代えて、ベアリングを導電性樹脂によって構成することにより両者の導電を確保してもよい。
【０１０３】
ベアリング２３は、ローラ２０の段差部２６に係止する一対の係止爪２５を有している。ベアリング２３には、径方向外方に突出した鍔部２８が設けられている。ベアリング２３は、鍔部２８と係止爪２５との間に段差部２６が位置することによって内空部２４に固定される。
【０１０４】
ベアリング２３の鍔部２８とキャップ７２との間には、鍔部２８の摩耗を防ぐべくＯリング３２１が挟み込まれている（図２１参照）。これにより、ベアリング２３の滑りが良好なままに保持され、ローラ２０の良好な回転性が維持される。
【０１０５】
ベアリング２３の軸方向の寸法は、ローラシャフト３０の挿入部３２の軸方向の寸法、言い換えると、ローラシャフト３０の全長の略半分の寸法と同等とされている。ベアリング２３の軸方向における一端側は、第１部品２１Ｆの第１内空部２４Ｆの嵌合凹部２４Ｈに嵌合され、他端部は、第２部品２１Ｓの第２内空部２４Ｓの嵌合穴２４Ｊを貫通している。ベアリング２３は、ローラ本体２１の内空部２４の軸方向（深さ方向）において先端側（第１部品２１Ｆ側）に寄った位置に配されている。
【０１０６】
次に、上記のように構成された実施例２の作用および効果について説明する。
本実施例２の美容器１は、ハンドル１０と、ハンドル１０に設けられたローラシャフト３０と、ローラシャフト３０を中心に回転自在なローラ２０と、を備えたものであり、ローラ２０が、ローラ本体２１を構成する第１部品２１Ｆ及び第２部品２１Ｓを有し、第１部品２１Ｆ及び第２部品２１Ｓが、比重が異なる材料で形成されている。この構成によれば、ローラ本体２１の重さのバランスを調整して、使用感を変えることができる。
【０１０７】
また、第１部品２１Ｆ及び第２部品２１Ｓが、ローラシャフト３０に沿って配される。この構成によれば、ローラ本体２１の重心の位置をローラシャフト３０に沿う方向において調整することができる。
【０１０８】
また、ローラ本体２１のローラシャフト３０に沿う方向における一端側に寄った位置にベアリング２３が設けられ、ローラシャフト３０の一端側に配される第１部品２１Ｆの比重が、ローラシャフト３０の他端側に配される第２部品２１Ｓの比重より重くされている。ここで、ローラ本体のうちベアリングが設けられていない側に重心が位置する場合、ベアリングに作用する力が偏って偏摩耗を生じる虞があるところ、ベアリング２３が設けられている側に重心を位置することができるから、ベアリング２３の偏摩耗を防ぐことができる。
【０１０９】
また、ハンドル１０が、ハンドルベース１１と、ハンドルベース１１をカバーするハンドルカバー１２と、ハンドルベース１１とハンドルカバー１２とを固定するねじ２９０と、を有し、ハンドルカバー１２のハンドルベース１１とは反対側に、ねじ２９０をカバーする部品カバー部４５が備えられている。この構成によれば、ねじ２９０が外側から見えないから、高級感をだすことができる。
【０１１０】
また、ハンドル１０に旋回自在に設けられるとともにローラシャフト３０が固定される旋回アーム６４と、旋回アーム６４とローラシャフト３０とを固定するねじ３０３と、旋回アーム６４及びローラシャフト３０をカバーするアームカバー７０と、を有し、アームカバー７０に、ねじ３０３を逃がす逃がし孔７３が形成されている。この構成によれば、アームカバー７０がねじ３０３の全体をカバーする場合に比して小型化することができる。
【０１１１】
＜実施例４＞
次に、本発明を具体化した実施例４に係る美容器を図２２によって説明する。
本実施例の美容器は、旋回アーム６４が最大旋回角度まで旋回したときに旋回アーム６４に弾性的に当接するクッション１２０の形状が、実施例３とは相違する。なお、実施例３と同様の構成には同一符号を付して重複する説明を省略する。
【０１１２】
クッション１２０は、熱可塑性エラストマー（ＴＰＥ）や熱可塑性樹脂（例えば、ポリプロピレン（ＰＰ）、ナイロン、ポリエチレン（ＰＥ））からなるシート状をなし、接着剤やテープ等によりベース部６０に固定されている。
【０１１３】
クッション１２０は、実施例３と同様、旋回アーム６４が当接する一対の当接部１２０Ａと、一対の当接部１２０Ａを連結する連結部１２０Ｂとを備えている。連結部１２０Ｂは、一対の当接部１２０Ａの前後方向（図２２では上下方向）における概ね全長を連結している。言い換えると、クッション１２０は、全体として幅方向（図２２では左右方向）に若干長い方形状をなし、幅方向における両端部が当接部１２０Ａ、中間部が連結部１２０Ｂとなっている。連結部１２０Ｂの前後方向の寸法は、当接部１２０Ａの前後方向の寸法より大きくされている。
【０１１４】
連結部１２０Ｂには、ねじ２９８が通される穴部１２０Ｃと、ベース部６０の固定孔２９９と連通する穴部１２０Ｄとが貫通形成されている。穴部１２０Ｄは、固定孔２９９と同様、前後方向に長い長円形状をなしている。
【０１１５】
このような本実施例のクッション１２０は、実施例３のクッション３２２に比して変形しにくいため、ベース部６０からの剥がれを確実に防ぐことができる。すなわち、実施例３のクッション３２２（図１５参照）のように、一対の当接部３２２Ａの間（内側）があいている場合には、旋回アーム６４のストッパ部６９が当接部３２２Ａに繰り返し当接することで、当接部３２２Ａが内側（互いに接近する側）に変形し、ひいてはベース部６０から剥がれてしまう虞がある。しかしながら、本実施例のクッション１２０は、一対の当接部１２０Ａの内側全体が連結部１２０Ｂとなっているから、当接部１２０Ａは変形しにくく、もってベース部６０から剥がれることを防ぐことができる。
【０１１６】
＜実施例５＞
次に、本発明を具体化した実施例５に係る美容器３を図２３及び図２４によって説明する。
本実施例の美容器３は、旋回アーム６４が最大旋回角度まで旋回したときに旋回アーム６４に弾性的に当接するクッション部９０が、金属製の板材９１に一体に形成されている点で、実施例３とは相違する。なお、実施例３と同様の構成には同一符号を付して重複する説明を省略する。
【０１１７】
本実施例における美容器３は、実施例３と同様、握り操作用のハンドル１０と、肌等に当てて転動される一対のローラ８０とを備え、一対のローラシャフト３０は、ハンドル１０に旋回自在に取り付けられた旋回アーム６４に保持されている。
【０１１８】
ハンドル１０は、実施例３と同様、芯材を構成するハンドルベース１１と、ハンドルベース１１の外面を形成するハンドルカバー１２と、を備え、ハンドルベース１１の表側には、ローラ８０を旋回自在及び回転自在に保持するローラ保持部Ｒが備えられている。
【０１１９】
ローラ保持部Ｒは、実施例３と同様、ハンドルベース１１に固定されるベース部６０と、ベース部６０に対して相対的に旋回自在に連結される旋回アーム６４と、旋回アーム６４に固定されるローラシャフト３０とを備えている。
【０１２０】
クッション部９０は、板材９１に一体に形成されている。板材９１は、ベース部６０に沿って配される本体部９２と、ベース部６０から離れる方向に立つクッション部９０とを備えている。本体部９２は、ねじ２９８によってベース部６０に固定される。本体部９２は、図２４に示すように、方形状をなし、ねじ２９８が挿通される固定孔３０２が貫通形成されている。固定孔３０２は、実施例２と同様、前後方向に長い長円形状をなし、板材９１の取り付け位置は、ベース部６０に対して相対的に前後方向にずらすことができる。
【０１２１】
また、本体部９２には、ベース部６０の固定孔に挿通されたねじりばね６７の端部が嵌入される一対の固定孔３０１が形成されている。これにより、ねじりばね６７の端部の前後方向の位置を変更して調節することができる。すなわち板材９１は、旋回アーム６４を付勢するねじりばね６７の位置を調節するアジャスタ機能を備えている。
【０１２２】
クッション部９０は、一対のタブ部６５に対応して、本体部９２の左右両側縁に設けられている（図２４参照）。クッション部９０は、旋回アーム６４の旋回方向における前後両側の最大旋回角度に対応して前後に一対が設けられている。
【０１２３】
本体部９２の左右両側縁には、左方及び右方に突出する突出縁９３が設けられている。クッション部９０は、突出縁９３の前縁及び後縁から本体部９２に対して傾くように屈曲されてなる。
【０１２４】
旋回アーム６４のタブ部６５は、前後一対のクッション部９０の間に配され、最大旋回角度に至るとストッパ部６９がクッション部９０に当たる。これにより、クッション部９０は弾性変位し、旋回アーム６４が最大旋回角度から基準位置側に変位すると、クッション部９０は弾性復帰して自然状態になる。
【０１２５】
ここで、クッション部がシート状をなすゴム製のものである場合、長期にわたる使用によって表面がたるんだり縮んだりしてクッション性が失われる虞があるところ、このような構成によれば、そのような事態を防ぐことができ、耐久性を向上することができる。
【０１２６】
＜実施例６＞
次に、本発明を具体化した実施例６に係る美容器４を図２５によって説明する。
本実施例の美容器４は、アームカバー１００が蛇腹構造を備えている点で、実施例３とは相違する。なお、実施例３と同様の構成には同一符号を付して重複する説明を省略する。
【０１２７】
ハンドルカバー１２は、実施例３と同様、ハンドルベース１１の表側を覆う第１ハンドルカバー４０と裏側を覆う第２ハンドルカバー５０とを有し、アームカバー１００は、第１ハンドルカバー４０に一体に備えられている。アームカバー１００は、実施例３と同様、カバー本体７５と、カバー本体７５から突出する一対のシャフトカバー７６とを備えている。
【０１２８】
第１ハンドルカバー４０は、実施例３と同様、ハンドルベース１１の大部分を覆う第１カバー体４０Ｆと、ハンドルベース１１の端部を覆う第２カバー体４０Ｓとを備えている。アームカバー１００は、第１カバー体４０Ｆに一体に設けられた第１アームカバー１０１と、第２カバー体４０Ｓに一体に設けられた第２アームカバー１０２とを有している。
【０１２９】
アームカバー１００は、旋回アーム６４の旋回に伴って、旋回アーム６４の旋回方向に伸縮自在な蛇腹構造を有している。アームカバー１００は、カバー本体７５は、内外方向に互いに重なりあった状態で、旋回アーム６４の旋回方向に相対変位自在な複数のスライドカバー１０３を有している。複数のスライドカバー１０３が旋回アーム６４の旋回方向に相対変位する。これにより、ローラ保持部Ｒを覆った状態のまま旋回アーム６４の旋回を許容する。
本実施例の構成によれば、ハンドルカバー１２とアームカバーとが別体である場合に比して、部品点数を減らすことができる。
【０１３０】
＜他の実施例＞
本発明は上記記述及び図面によって説明した実施例に限定されるものではなく、例えば次のような実施例も本発明の技術的範囲に含まれる。
（１）上記実施例では、ローラ本体２１が、第１部品２１Ｆと第２部品２１Ｓとを嵌め合わせてなるが、これに限らず、ローラ本体は、第１部品と第２部品とを二色成形してもよい。
（２）上記実施例では、ベアリング２３がローラ２０（８０）の先端側に配される場合を例示したが、これに限らず、ベアリングの位置は、任意に変更してもよい。
（３）上記実施例では、第１部品２１Ｆ及び第２部品２１Ｓが、ローラシャフト３０に沿って配されるが、これに限らず、例えば複数の部品をローラシャフトの軸方向と交差方向に並べて配置してもよく、すなわち複数の部品を、ローラシャフトが挿入される第１部品と、第１部品の外周側に配される第２部品としてもよい。
（４）上記実施例では、アームカバー７０がハンドルカバー１２の外側に配されているが、これに限らず、アームカバーをハンドルカバーの内側に配してもよい。
（５）上記実施例では、ローラ本体２１を２つに分割した場合を例示したが、これに限らず、ローラ本体は３つ以上に分割してもよく、すなわち３つ以上の部品からなるものとしてもよい。
（６）上記実施例では、２つのローラ２０（８０）が備えられているが、これに限らず、本発明は、ローラが１つのみ、または３つ以上備えられた美容器にも適用することができる。
（７）上記実施例では、ローラ２０（８０）が旋回するものであるが、本発明は、ローラが旋回しない美容器にも適用することができる。
（８）上記実施例１では、ローラ２０の外形が円柱状とされているが、これに限らず、ローラの外形は扁平な形状、三角形状または方形状等であってもよい。
（９）上記実施例６では、アームカバー１００が蛇腹構造を有している場合を例示したが、これに限らず、例えばアームカバーをゴムのような弾性材料により形成し、ハンドルカバーと一体に設けてもよい。
【符号の説明】
【０１３１】
Ｂ…美容器
１０…ハンドル
２０…ローラ
２１…ローラ本体
２１Ｆ…第１部品（複数の部品）
２１Ｓ…第２部品（複数の部品）
２３…ベアリング
３０…ローラシャフト
【図１】
2019187890.tif 000003
【図２】
2019187890.tif 000004
【図３】
2019187890.tif 000005
【図４】
2019187890.tif 000006
【図５】
2019187890.tif 000007
【図６】
2019187890.tif 000008
【図７】
2019187890.tif 000009
【図８】
2019187890.tif 000010
【図９】
2019187890.tif 000011
【図１０】
2019187890.tif 000012
【図１１】
2019187890.tif 000013
【図１２】
2019187890.tif 000014
【図１３】
2019187890.tif 000015
【図１４】
2019187890.tif 000016
【図１５】
2019187890.tif 000017
【図１６】
2019187890.tif 000018
【図１７】
2019187890.tif 000019
【図１８】
2019187890.tif 000020
【図１９】
2019187890.tif 000021
【図２０】
2019187890.tif 000022
【図２１】
2019187890.tif 000023
【図２２】
2019187890.tif 000024
【図２３】
2019187890.tif 000025
【図２４】
2019187890.tif 000026
【図２５】
2019187890.tif 000027